(57)【特許請求の範囲】
【請求項１】
ボルトに雄螺子を形成し後端に締付け部を形成した止水板押圧具、及び枠に繋止するための繋止部分を先端に前記雄螺子と螺合できるように形成したナット部を後端に夫々設けて成る支持受けフック部（４）及び下面と両端部の枠と接触する前面にパッキン（７，７）を取付け両端近傍に貫通穴（２）を形成した止水板（１）、及び該貫通穴（２）の気密性を保つ貫通穴用パッキン（５，６）を備え、
該貫通穴（２）に該貫通穴用パッキン（５，６）を介して上記ボルトを手前側から貫通させ上記繋止部分を枠に繋止した上記ナット部に螺合させて該止水板（１）を枠及び床面に押圧するように構成し、且つ、建物の出入り口の止水用に供する止水板押圧具を備えた止水板であって、上記貫通穴用パッキン（５）は、後部にフランジを備え上記ボルトを包み持つ筒状体に形成されて成り、
上記枠に繋止するための繋止部分を先端に前記雄螺子と螺合できるように形成したナット部を後端に夫々設けて成る支持受けフック部（４）は、単一部品であり、上記枠に繋止するための繋止部分は、
枠の前面と側面が交差する角部を該前面及び側面と面接触して繋止可能なＬ字型形状をなし、前記雄螺子と螺合できるように形成したナット部と共に一体に形成されたことを特徴とする止水板押圧具を備えた止水板。
【発明の詳細な説明】
【技術分野】
【０００１】  本発明は、大雨の際、ビル等の建物の出入り口や地下鉄の出入り口から、これらの建物内部に水が浸入するのを防止するために設けられる止水板に関する。
【背景技術】
【０００２】  海抜の低い地域や降雨時に冠水しやすい建物の出入り口には、雨水の浸入による水害を防止するための止水板が設けられている。【０００３】
従来の技術として、止水板を建物の出入り口に取り付ける方法としては、止水板を立設支持するためにガイド溝を両側および下方に設け、止水板を嵌め込み、止水板とガイド溝の隙間を密閉するために、止水板に押圧式のレバーを取り付け、防水板をガイド溝に押圧させ取り付ける方法（例えば［特許文献１］）や、止水板とガイド溝の間に伸縮自在な止水チューブをコンプレッサーで膨らませその隙間を密閉する方法（例えば［特許文献２］）などがある。
【特許文献１】実願昭６０−４６８８２号（実開昭６１−１６４３２６号）のマイクロフィルム
【特許文献２】実願平０５−７８１７６号（実開平０７−３８４７２号）のＣＤ−ＲＯＭ
【発明の開示】
【発明が解決しようとする課題】
【０００４】  本発明が解決しようとする問題点は、上記従来例（
【特許文献１】や
【特許文献２】）のいずれにおいても、止水板を立設支持するためにガイド溝や支柱が必要でありまたそれを設置するためのおおがかりな工事も必要とし、そしてそのガイド溝や支柱との隙間を密閉するための装置の構造が複雑となり、また押圧式のレバー方式においては、パッキン類の劣化や変性が発生した場合（パッキンが痩せてしまった時など）レバーの圧力が一定のため密閉性能が安定しなかった。本発明はそれらの問題点を解決することを目的とする。
【課題を解決するための手段】
【０００５】
本発明は上記目的を達成するために提案されたものであり、請求項１記載の発明は、
ボルトに雄螺子を形成し後端に締付け部を形成した止水板押圧具、及び枠に繋止するための繋止部分を先端に前記雄螺子と螺合できるように形成したナット部を後端に夫々設けて成る支持受けフック部（４）及び下面と両端部の枠と接触する前面にパッキン（７，７）を取付け両端近傍に貫通穴（２）を形成した止水板（１）、及び該貫通穴（２）の気密性を保つ貫通穴用パッキン（５，６）を備え、
該貫通穴（２）に該貫通穴用パッキン（５，６）を介して上記ボルトを手前側から貫通させ上記繋止部分を枠に繋止した上記ナット部に螺合させて該止水板（１）を枠及び床面に押圧するように構成し、且つ、建物の出入り口の止水用に供する止水板押圧具を備えた止水板であって、上記貫通穴用パッキン（５）は、後部にフランジを備え上記ボルトを包み持つ筒状体に形成されて成り、
上記枠に繋止するための繋止部分を先端に前記雄螺子と螺合できるように形成したナット部を後端に夫々設けて成る支持受けフック部（４）は、単一部品であり、上記枠に繋止するための繋止部分は、
枠の前面と側面が交差する角部を該前面及び側面と面接触して繋止可能なＬ字型形状をなし、前記雄螺子と螺合できるように形成したナット部と共に一体に形成されたことを特徴とする止水板押圧具を備えた止水板を提供するものである。
【発明の効果】
【０００６】  本発明の止水板押圧具よる止水板の取り付け構造により、止水板を立設支持するためにガイド溝や支柱を設ける必要が無く、そのガイド溝の隙間を密閉するための複雑な構造の装置も不要となる。また気密性をもたせるために取付けられているパッキン類の劣化や変性が発生し押圧力が弱まった場合においても、ボルト部分を随時締付けることにより一定の押圧力を得ることができレバー押圧方式などにくらべても対処が容易である。また止水チューブをコンプレッサーで膨らませさせ押圧力を得る方法になどに比べ、ボルト締め付け方式であるので、構造がシンプルでより強度の押圧力が得られるとともに、止水板の各位置における微妙な押圧力の調整も可能である。
【発明を実施するための最良の形態】
【０００７】
発明を実施するための最良の形態を、実施例にもとづき図面を参照して説明する。図１において、止水板（１）には止水板押圧具（３）が貫通するための穴（２）が両端近傍にもうけられている。該止水板押圧具（３）は、締付け部分がボルトに雄螺子を形成し後部に締付け部を備えており、また、既存枠等を支持するためのナット部（雌ネジ形態）をもつ支持受けフック部（４）がもうけられており、該ナット部に上記ボルトの雄螺子を螺着して止水板を押圧支持する。止水板には気密性を保つためにパッキン、即ち貫通穴用パッキン（５，６）、両端部前面パッキン（７，７）、下面パッキン（７）がそれぞれ備えられている。
【実施例１】
【０００８】
図１、図２に示すように、止水板押圧具（３）に貫通穴用パッキン（５，６）を取り付けて、該押圧具（３）を止水板の貫通穴（２）に手前側から貫通させ、止水板（１）を下方床面に押さえつけながら、枠（８）に繋止部分を繋止した支持受けフック部（４）のナット部に上記ボルトの雄螺子を螺着し締付け部（３１）を締め込み、止水板を枠及び床面に押圧固定する。

【実施例２】
【０００９】
図４に示すものは、締付け部位（９）をハンドルを一体に構成したナット形態（雌ネジ形態）にし、支持受けフック部位（１０）の後端を螺子を形成したボルト（雄螺子形態）にし、該ボルトを止水板の貫通穴に前方から挿入し、ボルトを止水板から引き出すように締付け、実施例１と同様に枠及び床面に止水板を押圧固定する特許請求の範囲請求項２記載の実施例である。
即ち、同図のものは、枠に繋止する繋止部分を先端に備え後端に雄裸子を形成したボルトを備えた支持受けフック（１０）と、該雄螺子に螺合できるようにハンドルを一体的に形成したナット形態をもつ止水板押圧具（９）を備える止水板である。なお、止水板に形成若しくは設けられた貫通穴、パッキン５，６，７は、前記実施例１の場合と同様である。
【実施例３】
【００１０】
図５に示す（４１）、（４２）、（４３）は、支持受けフック部（１０）が既存の枠に支持できず、枠の側面や壁面に突起物を設けて支持受けフック部を繋止するばあいの態様であり、特許請求の範囲に記載するには及んでいないが、本願の請求項１，２に係る発明と技術的に関連する技術である。
【実施例４】
【００１１】
また図６に示すように支持受けフック部分の繋止部分に自在接合部分（４５）をもうけることによって、本支持具をやや斜めに設置しながら締付けることで、止水板に、下方への力も加わり、一層床面への押圧力を得ることができまことに好都合であることを示した。
【実施例５】
【００１２】止水板押圧具（３）の一端の締め付け部分（３１）の形は特定の形である必要は無いが、止水板押圧具を締付けるのに充分な力を加えられる形ハンドル型やＬレバー型等がのぞましい。
【実施例６】
【００１３】支持受けフック部位（４）の繋止部分（４１）は繋止対象の形状にあわせてしっかりと支持力を得られる（４１）、（４２）、（４３）などの形状がのぞましい。
【産業上の利用可能性】
【００１５】本発明は、大雨の際、ビル等の建物の出入り口や地下鉄の出入り口から、これらの建物内部に水が浸入するのを防止するために設けられる止水板に関する。
【図面の簡単な説明】
【００１６】
【図１】貫通式押圧装置をつけた止水板の実施例を示す斜視図である。
【図２】貫通式押圧装置をつけた止水板の実施例を示す断面図である。
【図３】貫通式押圧装置をつけた止水板の実施例を示す全体の斜視図である。
【図４】実施例２を示す部分斜視図である。
【図５】実施例３を示す部分斜視図である。
【図６】実施例４を示す側面図である。
【符号の説明】
【００１７】１    止水板
２    貫通穴
３    止水板押圧具
４    支持受けフック部分
５    パッキン
６    パッキン
７    パッキン
８    枠
９    止水板押圧具
１０  支持受けフック部分
３１  締め付け部分
４１  繋止部分
４２  繋止部分
４３  繋止部分
４５  自在接合部分
【図１】
0004810059.tif 000002
【図２】
0004810059.tif 000003
【図３】
0004810059.tif 000004
【図４】
0004810059.tif 000005
【図５】
0004810059.tif 000006
【図６】
0004810059.tif 000007